(57)【要約】      （修正有）【課題】使用者が洋式便器に移動する時や洋式便器に座っている時の使い勝手を向上させるとともに、アームレストに比較的大きな力がかかった場合であっても設置位置からずれることを防止できるトイレ用手摺装置を提供する。【解決手段】支持部材６は、アームレスト４を接続する第１接続部８と、当接部材を接続する第２接続部１０と、第１接続部と第２接続部との間に形成され洋式便器に固定される固定手段１２と、を有しており、当接部材１４は、アームレストよりも下側であってアームレストの少なくとも前端が当接部材の前方に位置するように配置され、アームレストの下方に向かって生じる力を支持部材の固定手段の少なくとも一部を支点として後壁面２２に伝える。【選択図】図１
2015058032.tif 000002
【特許請求の範囲】
【請求項１】
洋式便器に座った使用者から見て洋式便器の側方に配置されるアームレストと、
前記アームレストが取付けられ前記アームレストの荷重を支持する支持部材と、
前記洋式便器の後側に位置する後壁面に当接する当接する当接部材と、を備えており、
前記支持部材は、前記アームレストを接続する第１接続部と、前記当接部材を接続する第２接続部と、前記第１接続部と前記第２接続部との間に形成され前記洋式便器又は側壁面又は側壁面に固定される固定手段と、を有しており、
前記当接部材は、前記アームレストよりも下側であって前記アームレストの少なくとも前端が前記当接部材の前方に位置するように配置され、前記アームレストの下方に向かって生じる力を前記支持部材の前記固定手段の少なくとも一部を支点として前記後壁面に伝えることを特徴とするトイレ用手摺装置。
【請求項２】
前記当接部材は、前記アームレストの下方に向かって生じる力を前記当接部材に形成される第１平面を介して前記後壁面に伝えることを特徴とする請求項１に記載のトイレ用手摺装置。
【請求項３】
前記アームレストは、前記第１接続部を中心に所定範囲内で回動可能であり、
前記当接部材は、更に前記洋式便器が載置する床面に当接し、前記アームレストの回転方向において前記アームレストを持ち上げる方向に向かって生じる力を前記支持部材の前記固定手段の少なくとも一部を支点として前記床面に伝えることを特徴とする請求項２に記載のトイレ用手摺装置。
【請求項４】
前記当接部材は、前記アームレストを持ち上げる方向に向かって生じる力を前記当接部材に形成される第２平面を介して前記床面に伝えることを特徴とする請求項３に記載のトイレ用手摺装置。
【請求項５】
前記当接部材は、前記後壁面と前記床面が交差する交差部で前記後壁面及び前記床面に当接することを特徴とする請求項３又は請求項４に記載のトイレ用手摺装置。
【請求項６】
前記支持部材は、前記洋式便器に座った使用者が背凭れる背凭れ部を前記後壁面の前方に有することを特徴とする請求項１乃至請求項５の何れか１項に記載のトイレ用手摺装置。
【発明の詳細な説明】
【技術分野】
【０００１】
本願発明は、洋式便器に設けられるトイレ用手摺装置に関し、特に、高齢者や障害者等の用便時の動作や姿勢保持を介助するトイレ用手摺装置に関するものである。
【背景技術】
【０００２】
高齢者や障害者等の用便時の動作や姿勢保持を介助する目的として、従来から様々なトイレ用手摺装置が提案されている。例えば、特許文献１のトイレ用手摺装置には、洋式便器を抱え込む三点支持によりトイレ用手摺装置を固定することが開示されている。使用者が一方のアームレストに手をついて洋式便器から立ち上がろうとした場合であっても、トイレ用手摺装置は洋式便器に対して安定して固定されている。
【０００３】
特許文献１のトイレ用手摺装置は、洋式便器を抱え込む三点支持が採用され、トイレ用手摺装置の取付強度が十分に確保されることから、トイレ用手摺装置を床面や壁面等に締結部材等で締結する必要がない。そのため、トイレ用手摺装置のレンタルを希望するお客様にとっては、特許文献１のトイレ用手摺装置のような床面や壁面等に傷を付けずに済む締結部材等の必要ないトイレ用手摺装置が好まれている。
【先行技術文献】
【特許文献】
【０００４】
【特許文献１】特開２００６−０００６２２号公報
【発明の概要】
【発明が解決しようとする課題】
【０００５】
しかしながら、特許文献１のトイレ用手摺装置は、様式便器の前方に連結枠の当接部が配置されるため、使用者が洋式便器に移動する時や洋式便器に座っている時にこの当接部が邪魔になってしまい、使用者の使い勝手が悪いという課題があった。また、左右の固定アームと連結枠の当接部で挟み込む方法であるため、アームレストに比較的大きな力がかかった場合には手摺装置全体が洋式便器からずれてしまうという課題があった。
【０００６】
本発明は、このような課題に鑑みてなされたものであり、その目的は、使用者が洋式便器に移動する時や洋式便器に座っている時のトイレ用手摺装置の使い勝手を向上させるとともに、アームレストに比較的大きな力がかかった場合であってもトイレ用手摺装置が設置位置からずれることを防止するトイレ用手摺装置を提供することである。
【課題を解決するための手段】
【０００７】
本発明に係るトイレ用手摺装置では、洋式便器に座った使用者から見て洋式便器の側方に配置されるアームレストと、前記アームレストが取付けられ前記アームレストの荷重を支持する支持部材と、前記洋式便器の後側に位置する後壁面に当接する当接部材と、を備えており、前記支持部材は、前記アームレストを接続する第１接続部と、前記当接部材を接続する第２接続部と、前記第１接続部と前記第２接続部との間に形成され前記洋式便器又は側壁面又は後壁面に固定される固定手段と、を有しており、前記当接部材は、前記アームレストよりも下側であって前記アームレストの少なくとも前端が前記当接部材の前方に位置するように配置され、前記アームレストの下方に向かって生じる力を前記支持部材の前記固定手段の少なくとも一部を支点として前記後壁面に伝えることを特徴とする。
【０００８】
この好ましい態様によれば、使用者が洋式便器に移動する時や洋式便器に座っている時のトイレ用手摺装置の使い勝手を向上させるとともに、アームレストに比較的大きな力がかかった場合であってもトイレ用手摺装置が設置位置からずれることを防止できる。
【０００９】
また、本発明に係るトイレ用手摺装置では、前記当接部材は、前記アームレストの下方に向かって生じる力を前記当接部材に形成される第１平面を介して前記後壁面に伝えることを特徴とする。
【００１０】
この好ましい態様によれば、アームレストに比較的大きな力がかかった場合であっても、後壁面に広い面積で力を分散させることが可能であり、後壁面が破損することを防止できる。
【００１１】
また、本発明に係るトイレ用手摺装置では、  前記アームレストは、前記第１接続部を中心に所定範囲内で回動可能であり、前記当接部材は、更に前記洋式便器が載置する床面に当接し、前記アームレストの回転方向において前記アームレストを持ち上げる方向に向かって生じる力を前記支持部材の前記固定手段の少なくとも一部を支点として前記床面に伝えることを特徴とする。
【００１２】
この好ましい態様によれば、アームレストを持ち上げる方向に向かって生じる力を床面で受けることになるため、トイレ用手摺装置が固定される洋式便器が床面から引き抜かれることを防止できる。
【００１３】
また、本発明に係るトイレ用手摺装置では、前記当接部材は、前記アームレストを持ち上げる方向に向かって生じる力を前記当接部材に形成される第２平面を介して前記床面に伝えることを特徴とする。
【００１４】
この好ましい態様によれば、アームレストを持ち上げる方向に向かって比較的大きな力がかかった場合であっても、床面に広い面積で力を分散させることが可能であり、床面が破損することを防止できる。
【００１５】
また、本発明に係るトイレ用手摺装置では、前記当接部材は、前記後壁面と前記床面が交差する交差部で前記後壁面及び前記床面に当接することを特徴とする。
【００１６】
この好ましい態様によれば、少ない部材で後壁面及び床面両方に当接することが可能となり、当接部材の簡素化を実現することができる。
【００１７】
また、本発明に係るトイレ用手摺装置では、前記支持部材は、前記洋式便器に座った使用者が背凭れる背凭れ部を前記後壁面の前方に有することを特徴とする。
【００１８】
この好ましい態様によれば、使用者が洋式便器に勢いよく座った際、使用者が洋式便器の後方側に衝突することを防止できる。
【発明の効果】
【００１９】
本発明に係るトイレ用手摺装置は、使用者が洋式便器に移動する時や洋式便器に座っている時のトイレ用手摺装置の使い勝手を向上させるとともに、アームレストに比較的大きな力がかかった場合であってもトイレ用手摺装置が設置位置からずれることを防止できる。
【図面の簡単な説明】
【００２０】
【図１】本発明の第１実施形態のトイレ用手摺装置を示す斜視図である。
【図２】本発明の第１実施形態のトイレ用手摺装置を示す斜視図である。
【図３】本発明の第１実施形態のトイレ用手摺装置を示す側面図である。
【図４】本発明の第２実施形態のトイレ用手摺装置を示す斜視図である。
【図５】本発明の第２実施形態のトイレ用手摺装置を示す斜視図である。
【図６】本発明の第２実施形態のトイレ用手摺装置を示す側面図である。
【図７】本発明の第３実施形態のトイレ用手摺装置を示す側面図である。
【図８】本発明の第３実施形態のトイレ用手摺装置を示す側面図である。
【図９】本発明の第４実施形態のトイレ用手摺装置を示す斜視図である。
【図１０】本発明の第４実施形態の固定手段１２の詳細図である。
【図１１】本発明の第４実施形態のトイレ用手摺装置を示す側面図である。
【図１２】本発明の第５実施形態のトイレ用手摺装置を示す斜視図である。
【図１３】本発明の第５実施形態のトイレ用手摺装置を示す側面図である。
【図１４】本発明の第６実施形態のトイレ用手摺装置を示す正面図である。
【発明を実施するための形態】
【００２１】
以下、図面を参照しつつ、本発明の実施形態のトイレ用手摺装置について説明する。尚、各図面中、同様の構成要素には同一の符号を示す。
【００２２】
図１は、本発明のトイレ用手摺装置１の第１実施形態を示す斜視図である。トイレ用手摺装置１は、洋式便器２の側方に配置されるアームレスト（手摺）４と、アームレスト４が取付けられアームレスト４の荷重を支持する支持部材６と、洋式便器２の後側に位置する後壁面２２に当接する当接部材１４と、を備えており、支持部材６は、アームレスト４を接続する第１接続部８と、当接部材１４を接続する第２接続部１０と、第１接続部８と第２接続部１０との間に形成され洋式便器２の上面に載せて固定するプレート１２（固定手段）と、によって構成されている。
【００２３】
当接部材１４は、アームレスト４よりも下側であってアームレスト４の少なくとも前端が前方に位置するように配置され、アームレスト４の下方に向かって生じる力をプレート１２（固定手段）の少なくとも一部を支点として後壁面２２に伝える。
【００２４】
アームレスト４は、第１接続部８を中心に所定範囲内で回動可能であっても回動不能であっても構わない。
【００２５】
また、左右の支持部材６の架設部材２４には、洋式便器２に座った使用者が背凭れる背凭れ２６を取り付けることができる。背凭れ２６は、架設部材２４から着脱可能であって必要がない場合は取り外すことができる。背凭れを着けることで、洋式便器に座った使用者が座位姿勢を安定し、長時間安心してお使いいただけるとともに、使用者が洋式便器に勢いよく座った際、使用者が洋式便器後方に位置するタンクへの衝突を防止し安全にお使いいただける。
【００２６】
図２は、図１において便座２８によって隠れている部分を見えるように便座２８を消した斜視図である。洋式便器２には、便器の上面に取り付けられる便座２８を取り付け固定する便座固定穴３０が開いているものが多い。図１で示す実施形態のトイレ用手摺装置１は、便座固定穴３０を使ってプレート１２（固定手段）を洋式便器２へ固定するものである。
【００２７】
また、便座固定穴３０を使ってプレート１２（固定手段）を洋式便器２へ固定する部位において多少なりとも穴とねじとのガタツキがある。このため、便座固定穴３０よりも前方に出ているアームレスト４の左右横方向に向かって生じる力に対し、便座固定穴３０を回転の中心としてトイレ用手摺装置１が回転し使用者にとってはアームレスト４のガタツキとして認識されることがある。それに対し、後壁面２２に当接する当接部材１４の幅を左右横方向に長くすることで、アームレスト４の左右横方向に向かって生じる力に対しても当接部材１４を介して広い範囲で後壁面２２に伝え、アームレスト４のガタツキを軽減できる。
【００２８】
図３は、図１で示す第１実施形態のトイレ用手摺装置１の側面図である。アームレスト４の下方に向かって生じる力（実線矢印）をプレート１２（固定手段）の少なくとも一部を支点として、第１平面１６を介して後壁面２２（実線矢印）に伝える。
【００２９】
また、当接部材１４は、洋式便器２が載置する床面３２に当接し、アームレスト４の回転方向においてアームレスト４を持ち上げる方向に向かって生じる力（点線矢印）をプレート１２（固定手段）の少なくとも一部を支点として、第２平面１８を介して床面３２に伝える（点線矢印）。背凭れ２６に凭れかかる方向に向かって生じる力も同様にして床面３２に伝える。
【００３０】
洋式便器２は、便器の種類や施工のばらつきによって、後壁面２２から便座固定穴３０までの距離がまちまちである。また、便器の種類によって、便器の高さもまちまちである。当接部材１４は、いろいろな便器に対しても後壁面２２や床面３２に当接するよう前後調節部３４と上下調節部３６を有している。ただし、調節手段は図３に限られず、スライド方法は、パイプなどの部材同士の差し込みによりスライドさせる方法、長穴を用いてスライドさせる方法、歯車とスライドラックを使う方法、ねじを回すことで後壁面２２に押し付ける方法などが考えられ、また、スライドさせた位置を保持する方法は、ねじで固定する方法や、ラチェットを使った方法などが考えられる。
【００３１】
図４は、本発明のトイレ用手摺装置１の第２実施形態を示す斜視図である。図１の実施形態と同様、洋式便器２への固定をプレート１２（固定手段）に開いている便座固定穴３０を使って行うものであるが、上下調節部３６を当接部材１４にではなく、支持部材６に持たせたものである。ただし、調節手段は図４に限られず、スライド方法は、パイプなどの部材同士の差し込みによりスライドさせる方法、長穴を用いてスライドさせる方法、歯車とスライドラックを使う方法、ねじを回すことで上下する方法などが考えられ、また、スライドさせた位置を保持する方法は、ねじで固定する方法や、ラチェットを使った方法などが考えられる。
【００３２】
図５は、図４において便座２８によって隠れている部分を見えるように便座２８を消した斜視図である。
【００３３】
図６は、図４で示す第２実施形態のトイレ用手摺装置１の側面図である。力の伝わり方は図３の第１実施形態と同様である。
【００３４】
図７は、本発明のトイレ用手摺装置１の第３実施形態を示す側面図である。図１の実施形態と同様、洋式便器２への固定をプレート１２（固定手段）に開いている便座固定穴３０を使って行うものであるが、アームレスト４の回転方向においてアームレスト４を持ち上げる方向に向かって生じる力を、プレート１２（固定手段）よりも高い位置まで伸ばした当接部材１４の第１平面１６を介して後壁面２２に伝えても良い。
【００３５】
あるいは、アームレスト４の回転方向においてアームレスト４を持ち上げる方向に向かって生じる力を、図８に示すように、支持部材６の、プレート１２（固定手段）よりも高い位置から後壁面２２に伸ばした当接部材１４の第１平面１６を介して後壁面２２に伝える方法でも良い。
【００３６】
以上の第１〜第３実施形態は、洋式便器２への固定を、洋式便器２の上面に載せて固定するプレート１２（固定手段）に開いている便座固定穴３０を使って行うものである。次に、洋式便器２への固定を、洋式便器２の外周部や洋式便器２の左右側面に位置する側壁面を使って行うものについて述べる。
【００３７】
図９は、本発明のトイレ用手摺装置１の第４実施形態を示す斜視図である。トイレ用手摺装置１は、洋式便器２の側方に配置されるアームレスト４と、アームレスト４が取付けられアームレスト４の荷重を支持する支持部材６と、洋式便器２の後側に位置する後壁面２２に当接する当接部材１４と、を備えており、支持部材６は、アームレスト４を接続する第１接続部８と、当接部材１４を接続する第２接続部１０と、第１接続部８と第２接続部１０との間に形成され洋式便器２の外側後方部に当接する便器後方当接部材３８（固定手段）と後方壁当接部材４０（固定手段）と洋式便器２の外側側面部に当接する左右固定部材４２（固定手段）と、によって構成されている。
【００３８】
図１０は、図９では見え難い、便器後方当接部材３８（固定手段）と後方壁当接部材４０（固定手段）を見えるように図示したものである。後方当接部材３８（固定手段）が前後にずれないよう、後方壁当接部材４０（固定手段）で後壁面２２に当接している。
【００３９】
図１１は、図１０で示す第４実施形態のトイレ用手摺装置１の側面図である。アームレスト４の下方に向かって生じる力を後方当接部材３８（固定手段）を支点として、第１平面１６を介して後壁面２２に伝える。
【００４０】
また、当接部材１４は、洋式便器２が載置する床面３２に当接し、アームレスト４の回転方向においてアームレスト４を持ち上げる方向に向かって生じる力を後方壁当接部材４０（固定手段）を支点として、第２平面１８を介して床面３２に伝える。背凭れ２６に凭れかかる方向に向かって生じる力も同様にして床面３２に伝える。
【００４１】
また、アームレスト４に水平横方向の力が加わった際の横ずれ防止のため、左右固定部材４２（固定手段）で便器側方を挟み込んでいる。
【００４２】
洋式便器２は、便器の種類や施工のばらつきによって、後壁面２２から洋式便器２の外側後方部までの距離や洋式便器２の外側側面間の距離がまちまちである。後方当接部材３８（固定手段）、後方壁当接部材４０（固定手段）、左右固定部材４２（固定手段）は、いろいろな便器に対しても対応可能なように調節部を有している。
【００４３】
図１２は、本発明のトイレ用手摺装置１の第５実施形態を示す斜視図である。図９に示す第４実施形態は、左右ずれ防止を洋式便器２の外側側面中央部を左右両側から挟みこむ構造であったが、図１２に示す第５実施形態では、洋式便器２の外側側面上方部を左右両側から挟みこむ構造である。図９に示す第４実施形態に比べ、部材を減らせること、洋式便器２の側面から直接締めこむことで強く締めこめる利点がある。ところが、洋式便器２の種類によっては、当部に樹脂のカバーがあるものがあり、そのような便器では樹脂が破損してしまうため、第５実施形態では対応できない。一方、第４実施形態に示す洋式便器２の外側側面中央部に樹脂カバーがあるものはなく、対応できる便器が多いというメリットがある。
【００４４】
図１３は、図１２で示す第５実施形態のトイレ用手摺装置１の側面図である。力の伝わり方は図１１の第４実施形態と同様である。
【００４５】
図１４は、本発明のトイレ用手摺装置１の第６実施形態を示す正面図である。図９に示す第４実施形態や図１２に示す第５実施形態は、左右ずれ防止を洋式便器２を左右側面で挟み込む方法であるが、図１４に示す第６実施形態は、洋式便器２の左右側面に位置する側壁面４４に側方壁固定部材４６（固定手段）を介して突っ張る構造のものである。
【００４６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。
【００４７】
例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１      トイレ用手摺装置
２      洋式便器
４      アームレスト
６      支持部材
８      第１接続部
１０    第２接続部
１２    プレート（固定手段）
１４    当接部材
１６    第１平面
１８    第２平面
２０    交差部
２２    後壁面
２４    架設部材
２６    背凭れ
２８    便座
３０    便座固定穴
３２    床面
３４    前後調節部
３６    上下調節部
３８    便器後方当接部材（固定手段）
４０    後方壁当接部材（固定手段）
４２    左右固定部材（固定手段）
４４    側壁面
４６    側方壁固定部材（固定手段）
【図１】
2015058032.tif 000003
【図２】
2015058032.tif 000004
【図３】
2015058032.tif 000005
【図４】
2015058032.tif 000006
【図５】
2015058032.tif 000007
【図６】
2015058032.tif 000008
【図７】
2015058032.tif 000009
【図８】
2015058032.tif 000010
【図９】
2015058032.tif 000011
【図１０】
2015058032.tif 000012
【図１１】
2015058032.tif 000013
【図１２】
2015058032.tif 000014
【図１３】
2015058032.tif 000015
【図１４】
2015058032.tif 000016